(57)【要約】【課題】良好な排水性能を確保しつつ、床下高さを抑制できる便器装置を提供すること。【解決手段】便鉢１０２の底部に排水口部１０２ｄが設けられた便器１００を備える便器装置１であって、排水口部１０２ｄに接続されて排水流路を構成する排水ソケット２１０と、排水口部１０２ｄを開閉するフラッパ弁２２１と、フラッパ弁２２１を回動させるフラッパ弁回動軸２２２と、排水ソケット２１０に接続される排水管２３０と、を備え、排水ソケット２１０は、その上面部２１１に設けられて排水口部１０２ｄに接続される流入口部２１４と、その後壁部２１３ｄに設けられて排水管２３０に接続される流出口部２１５と、を備える便器装置１である。【選択図】図１
2016125251.tif 000002
【特許請求の範囲】
【請求項１】
便鉢の底部に排水口部が設けられた便器を備える便器装置であって、
前記排水口部に接続されて排水流路を構成する排水ソケットと、
前記排水口部を開閉するフラッパ弁と、
前記フラッパ弁を回動させるフラッパ弁回動軸と、
前記排水ソケットに接続される排水管と、を備え、
前記排水ソケットは、その上部に設けられて前記排水口部に接続される流入口部と、その側壁部に設けられて前記排水管に接続される流出口部と、を備える便器装置。
【請求項２】
前記排水管は、前記便器装置が設置されたトイレルームの壁に向かって下方に傾斜して延びている請求項１に記載の便器装置。
【請求項３】
前記フラッパ弁回動軸は、前記流出口部に対向する側壁部側に設けられ、前記排水管の延びる方向に対して略直交しかつ略水平方向に延びている請求項１又は２に記載の便器装置。
【請求項４】
前記フラッパ弁の開度を所定範囲内に規制する規制部をさらに備える請求項１から３いずれかに記載の便器装置。
【請求項５】
前記規制部は、前記排水ソケットの底面部に設けられ、前記流出口部に対向する側壁部側から前記排水管側に向かって下方に傾斜する傾斜部により構成される請求項４に記載の便器装置。
【請求項６】
前記排水管の下流側に接続され、前記排水管の延びる方向とは異なる方向に延びる搬送管と前記排水管とを連結する角度変換継手をさらに備える請求項１から５いずれかに記載の便器装置。
【発明の詳細な説明】
【技術分野】
【０００１】
本発明は、便器装置に関する。詳しくは、簡易水洗式の便器装置に関する。
【背景技術】
【０００２】
従来、下水道が未整備の地域では、汲み取り式の便槽を地下等に備える簡易水洗式の便器装置が用いられている（例えば、特許文献１及び２参照）。この簡易水洗式の便器装置では、便鉢に形成された排水口部を開閉するフラッパ弁が設けられ、このフラッパ弁を閉じて洗浄水を便鉢内に溜めることで、便槽からの臭気が遮断される。また、フラッパ弁の開閉動作が確実に行われることで、便鉢内の汚物及び溜水が確実に排出される。
【先行技術文献】
【特許文献】
【０００３】
【特許文献１】実開昭６１−７３９４号公報
【特許文献２】実公平３−１６９４４号公報
【発明の概要】
【発明が解決しようとする課題】
【０００４】
ところで、簡易水洗式の便器装置では、通常の水洗式の便器装置と比べて少量の洗浄水により汚物を排出するため、排水量が非常に少ない。そのため、従来の簡易水洗式の便器装置では、良好な排水性能を確保するために、排水口部に接続された排水ソケットの下部に床下まで延びる垂直排水管が接続されるとともに、この垂直排水管に角度変換継手を介して下方に傾斜して延びる傾斜排水管が接続される。
【０００５】
しかしながら、例えば２階以上の上階に従来の簡易水洗式の便器装置を設置するときに十分な床下高さが確保できない場合には、傾斜排水管が階下の居室に露出する等の問題が生じていた。そして、かかる問題を回避するためには、垂直排水管と傾斜排水管を床下に収納するのに十分な床下高さを確保する必要があった。
【０００６】
本発明は上記に鑑みてなされたものであり、その目的は、良好な排水性能を確保しつつ、床下高さを抑制できる便器装置を提供することにある。
【課題を解決するための手段】
【０００７】
上記目的を達成するため本発明は、便鉢（例えば、後述の便鉢１０２）の底部に排水口部（例えば、後述の排水口部１０２ｄ）が設けられた便器（例えば、後述の便器１００）を備える便器装置（例えば、後述の便器装置１）であって、前記排水口部に接続されて排水流路を構成する排水ソケット（例えば、後述の排水ソケット２１０）と、前記排水口部を開閉するフラッパ弁（例えば、後述のフラッパ弁２２１）と、前記フラッパ弁を回動させるフラッパ弁回動軸（例えば、後述のフラッパ弁回動軸２２２）と、前記排水ソケットに接続される排水管（例えば、後述の排水管２３０）と、を備え、前記排水ソケットは、その上部（例えば、後述の上面部２１１）に設けられて前記排水口部に接続される流入口部（例えば、後述の流入口部２１４）と、その側壁部（例えば、後述の後壁部２１３ｄ）に設けられて前記排水管に接続される流出口部（例えば、後述の流出口部２１５）と、を備える便器装置を提供する。
【０００８】
前記排水管は、前記便器装置が設置されたトイレルーム（例えば、後述のトイレルームＲ）の壁（例えば、後述の壁ＷＡ）に向かって下方に傾斜して延びていることが好ましい。
【０００９】
前記フラッパ弁回動軸は、前記流出口部に対向する側壁部（例えば、後述の前壁部２１３ａ）側に設けられ、前記排水管の延びる方向に対して略直交しかつ略水平方向に延びていることが好ましい。
【００１０】
前記フラッパ弁の開度を所定範囲（例えば、後述ように４５°）内に規制する規制部（例えば、後述の傾斜部２１６）をさらに備えることが好ましい。
【００１１】
前記規制部は、前記排水ソケットの底面部（例えば、後述の底面部２１２）に設けられ、前記流出口部に対向する側壁部（例えば、後述の前壁部２１３ａ）側から前記排水管側に向かって下方に傾斜する傾斜部（例えば、後述の傾斜部２１６）により構成されることが好ましい。
【００１２】
前記排水管の下流側に接続され、前記排水管の延びる方向とは異なる方向に延びる搬送管（例えば、後述の搬送管２５０）と前記排水管とを連結する角度変換継手（例えば、後述の角度変換継手２４０）をさらに備えることが好ましい。
【発明の効果】
【００１３】
本発明によれば、良好な排水性能を確保しつつ、床下高さを抑制できる便器装置を提供できる。
【図面の簡単な説明】
【００１４】
【図１】第１実施形態に係る便器装置の部分断面側面図である。
【図２】第１実施形態に係る便器装置が備える排水機構のフラッパ弁機構が閉じた状態を示す斜視図である。
【図３】第１実施形態に係る便器装置が備える排水機構のフラッパ弁機構が開いた状態を示す斜視図である。
【図４】図２のＡ−Ａ線断面図である。
【図５】図３のＢ−Ｂ線断面図である。
【図６】第２実施形態に係る便器装置を模式的に示す部分断面側面図である。
【図７】第３実施形態に係る便器装置を模式的に示す部分断面側面図である。
【図８】第４実施形態に係る便器装置を模式的に示す部分断面側面図である。
【発明を実施するための形態】
【００１５】
以下、本発明の実施形態について、図面を参照して詳細に説明する。なお、第２実施形態以降の説明において、第１実施形態と共通する構成については同一の符号を付し、対応する構成については同一の規則性に従って符号を付し、適宜その説明を省略する。また、以下の説明における前後左右方向は、便座に座った使用者から見た前後左右方向を意味する。
【００１６】
［第１実施形態］
図１は、本発明の第１実施形態に係る便器装置１の部分断面側面図である。図１に示すように、本実施形態に係る便器装置１は、トイレルームＲ内の後方側の壁ＷＡ近傍の床ＦＬに設置される。便器装置１は、便器１００と、排水機構１１０と、洗浄装置１２０と、を備える簡易水洗式の便器装置である。
【００１７】
先ず、便器１００について説明する。
図１に示すように、便器１００は、便器本体１０１と、便鉢１０２と、を備える。この便器１００は、例えば衛生陶器により形成される。
【００１８】
便器本体１０１は、前方周壁部１０１ａと、後方周壁部１０１ｂと、を備える。
前方周壁部１０１ａは、前方側の上面周縁から下方に向かうに従い、内側に湾曲している。前方周壁部１０１ａの下端は、床ＦＬに当接している。この前方周壁部１０１ａの内側には、後述する便鉢１０２が配置される。
後方周壁部１０１ｂは、後方側の上面周縁から略鉛直下方に延びた後、内側に湾曲している。後方周壁部１０１ｂの下端は、床ＦＬに当接している。この後方周壁部１０１ｂの内側には、後述する排水機構１１０の排水ソケット２１０やフラッパ弁機構２２０等が配置される。
【００１９】
便鉢１０２は、上述したように前方周壁部１０１ａの内側に配置される。便鉢１０２は、前方傾斜部１０２ａと、後方傾斜部１０２ｂと、図示しない右側傾斜部及び左側傾斜部と、リム通水路１０２ｃと、排水口部１０２ｄと、を備える。
前方傾斜部１０２ａ、後方傾斜部１０２ｂ、右側傾斜部及び左側傾斜部は、それぞれ中央側に向かうに従い下方に傾斜している。隣接する傾斜部同士は、なだらかな曲面状に接続される。
【００２０】
リム通水路１０２ｃは、便鉢１０２の上部周縁に形成される。より詳しくは、リム通水路１０２ｃは、便鉢１０２の上端周縁から内側に延びて下方に垂下するリム１０５と、各傾斜部の上端部とに挟まれて形成される。このリム通水路１０２ｃには、後述する洗浄装置１２０の洗浄水供給管１２３から吐出される洗浄水が流通する。リム通水路１０２ｃに洗浄水が流通する際には、リム１０５によって洗浄水が外側に飛散するのが回避される。
【００２１】
排水口部１０２ｄは、便鉢１０２の底部において、鉛直下方に略真円状に開口して形成される。この排水口部１０２ｄには、後述する排水機構１１０の排水ソケット２１０が接続される。より詳しくは、排水口部１０２ｄの外周に全周に亘って形成されたフランジ部１０２ｅに、後述する排水ソケット２１０の上面部２１１が取り付けられることで、排水口部１０２ｄに排水ソケット２１０が接続される。汚物及び使用後の溜水Ｗ（汚水）は、後述する洗浄装置１２０から供給された洗浄水とともに、この排水口部１０２ｄから排出される。
【００２２】
また図１に示すように、便器１００には、便座１３０及び便蓋１４０が取り付けられる。便座１３０及び便蓋１４０は、便器本体１０１の後方側上面に、軸支部１５０を介して回動自在に軸支される。これにより、便座１３０及び便蓋１４０はそれぞれ独立して、便器本体１０１上に倒伏した倒伏状態と、便器本体１０１に対して略垂直方向に起立した起立状態と、を取り得る。
【００２３】
次に、排水機構１１０について説明する。
排水機構１１０は、排水ソケット２１０と、フラッパ弁機構２２０と、排水管２３０と、を備える。
【００２４】
ここで、図２は、排水機構１１０のフラッパ弁機構２２０が閉じた状態を示す斜視図である。図３は、排水機構１１０のフラッパ弁機構２２０が開いた状態を示す斜視図である。また、図４は、図２のＡ−Ａ線断面図であり、図５は、図３のＢ−Ｂ線断面図である。なお、図２〜図５では、排水管２３０を省略して示している。以下、排水機構１１０の各構成について、図２〜図５を参照して説明する。
【００２５】
排水ソケット２１０は、便鉢１０２の排水口部１０２ｄに接続され、排水流路の一部を構成する。排水ソケット２１０は、上面部２１１と、底面部２１２と、側壁部２１３と、を含んで構成される。また、排水ソケット２１０は、流入口部２１４と、流出口部２１５と、傾斜部２１６と、を備える。
【００２６】
上面部２１１は、略水平面状に形成される。上面部２１１は、その略中央に流入口部２１４を備える。
流入口部２１４は、上面部２１１において、上方に略真円状に開口して形成される。流入口部２１４の内周縁には、パッキン２１４ａが設けられる。この流入口部２１４に排水口部１０２ｄが嵌合することで、排水ソケット２１０が排水口部１０２ｄに接続される。これにより、汚物及び使用後の溜水Ｗ（汚水）は、後述する洗浄装置１２０から供給される洗浄水とともに、この流入口部２１４から排水ソケット２１０内に流入する。
【００２７】
底面部２１２は、略平面状に形成され、後方に向かって緩やかに傾斜する緩傾斜部２１２ａを含んで構成される。また、底面部２１２は、その前方側に傾斜部２１６を備える。
傾斜部２１６は、その上端が後述する流出口部２１５に対向する前壁部２１３ａに連結され、前壁部２１３ａから排水管２３０側に向かって下方に傾斜している。傾斜部２１６の傾斜角度は、緩傾斜部２１２ａの傾斜角度よりも大きく設定される。この傾斜部２１６は、図５に示すように、フラッパ弁２２１の回動を規制する規制部として作用する。これについては後段で詳述する。
【００２８】
側壁部２１３は、前壁部２１３ａと、右壁部２１３ｂと、左壁部２１３ｃと、後壁部２１３ｄとから構成される。即ち、前壁部２１３ａは排水ソケット２１０の前方部分を構成し、右壁部２１３ｂは排水ソケット２１０の右側方部分を構成し、左壁部２１３ｃは排水ソケット２１０の左側方部分を構成し、後壁部２１３ｄは排水ソケット２１０の後方部分を構成する。
ここで、上述したように本明細書における前後左右方向は、便座１３０に座った使用者から見た前後左右方向を意味するため、使用者が座る側（便座１３０側）が前方であり、洗浄装置１２０が配置される側が後方である。
【００２９】
前壁部２１３ａは、所定の幅を持って鉛直方向に延びて形成される。前壁部２１３ａの幅方向（左右方向）の略中央外側には、内側に凹んで上下方向に延びる溝部２１３ｅが形成される。また、前壁部２１３ａの下部外側には、外方に延出する延出部２１３ｆが設けられる。
【００３０】
右壁部２１３ｂ及び左壁部２１３ｃは、略平面状であり、所定の幅を持って鉛直方向に延びて形成される。これら右壁部２１３ｂ及び左壁部２１３ｃの前方側下部は、底面部２１２の傾斜部２１６に対応して傾斜している。
【００３１】
後壁部２１３ｄは、流出口部２１５を備える。この流出口部２１５は、後壁部２１３ｄの上端等の一部を除く大部分が、後方に向かって断面略真円の円筒状に突出することで形成される。この円筒状の流出口部２１５は、後方に向かうに従い下方に緩やかに傾斜しており、後述する排水管２３０が接続される。
【００３２】
フラッパ弁機構２２０は、フラッパ弁２２１と、フラッパ弁回動軸２２２と、第１リンク部材２２３と、第２リンク部材２２４と、第１磁性部材２２５と、第２磁性部材２２６と、回動部材２２７と、ワイヤ２２８と、を備える。
【００３３】
フラッパ弁２２１は、便鉢１０２の排水口部１０２ｄの直下に配置され、排水口部１０２ｄを開閉する。フラッパ弁２２１は、受け部２２１ａと、支持部２２１ｂと、を含んで構成される。
受け部２２１ａは、矩形皿状に形成される。受け部２２１ａは、排水口部１０２ｄの開口縁に当接することで、排水口部１０２ｄを塞ぐ。
支持部２２１ｂは、受け部２２１ａの下面中央から下方に突出し、左右方向に延びて形成される。支持部２２１ｂは断面半円弧状であり、後述する第１リンク部材２２３の先端部に回動可能に軸支される。
【００３４】
フラッパ弁回動軸２２２は、後述する第１リンク部材２２３を介して、フラッパ弁２２１を回動させる。このフラッパ弁回動軸２２２は、流出口部２１５に対向する前壁部２１３ａ上部の内部に、その幅方向（左右方向）に延びて設けられる。従って、フラッパ弁回動軸２２２は、フラッパ弁２２１を略鉛直方向に回動させる。また、フラッパ弁回動軸２２２は、排水管２３０の延びる方向に対して略直交し、かつ略水平方向に延びている。これにより、フラッパ弁２２１は、流出口部２１５及び後述する排水管２３０側に向けて開くようになっている。即ち、フラッパ弁２２１が開いたときに、フラッパ弁２２１の受け部２２１ａは、流出口部２１５に対向する位置に配置される。
【００３５】
第１リンク部材２２３は、図２に示すように、一対の長尺角柱状のリンク部材２２３ａ，２２３ａで構成される。これらリンク部材２２３ａ，２２３ａの一端側は、フラッパ弁回動軸２２２に略直交して連結され、固定される。これらリンク部材２２３ａ，２２３ａの他端側は、フラッパ弁２２１の支持部２２１ｂの両端にそれぞれ回動可能に連結される。
ここで、フラッパ弁２２１の回動は、第１リンク部材２２３が底面部２１２の傾斜部２１６に当接することで規制される。具体的には、第１リンク部材２２３の下面が傾斜部２１６の傾斜面に当接することで、フラッパ弁２２１の回動が制限される。本実施形態では、例えば傾斜部２１６の傾斜角度を約４５°とすることにより、フラッパ弁２２１の開度が約４５°の範囲内に規制される。このとき、図５に示すように、フラッパ弁２２１の受け部２２１ａは、汚水を排水管２３０へと誘導する機能を発揮する。
【００３６】
第２リンク部材２２４は、単一の長尺円柱状のリンク部材で構成される。第２リンク部材２２４の一端側は、フラッパ弁回動軸２２２の略中央部に略直交して連結され、固定される。第２リンク部材２２４の他端側は、後述する第１磁性部材２２５に回動可能に連結される。
ここで、フラッパ弁回動軸２２２は前壁部２１３ａの溝部２１３ｅを貫通しており、第２リンク部材２２４は、溝部２１３ｅ内で露出しているフラッパ弁回動軸２２２に連結される。これにより、第２リンク部材２２４は、溝部２１３ｅに沿って回動可能となっている。
【００３７】
第１磁性部材２２５は、下方が大径部で上方が小径部の中空円柱状のケース２２５ａと、ケース２２５ａの大径部内に収容された円柱状の第１磁石２２５ｂと、を含んで構成される。ケース２２５ａの上端部が、第２リンク部材２２４の他端側に回動可能に連結される。また、第１磁石２２５ｂは、後述する第２磁石２２６ｂとは互いに異極同士で引き合うようになっている。
この第１磁性部材２２５は、フラッパ弁２２１が閉じると、前壁部２１３ａの延出部２１３ｆ上に載置される。また、フラッパ弁が開くと、延出部２１３ｆ上から離隔する。
【００３８】
第２磁性部材２２６は、前壁部２１３ａの延出部２１３ｆ内に設けられた収容空間に収容されている。第２磁性部材２２６は、延出部２１３ｆ内に固定される円柱状の支持部材２２６ａと、この支持部材２２６ａにより支持される円柱状の第２磁石２２６ｂと、を含んで構成される。上述したように、第２磁石２２６ｂは、第１磁石２２５ｂとは互いに異極同士で引き合うようになっている。
【００３９】
従って、フラッパ弁２２１が閉じた状態では、第１磁性部材２２５は延出部２１３ｆ上に載置されるため、第２磁性部材２２６との間で磁気吸引力が作用し、この磁気吸引力によってフラッパ弁２２１が閉方向に付勢される。
また、フラッパ弁２２１が開いた状態では、第１磁性部材２２５は延出部２１３ｆ上から離隔するため、第２磁性部材２２６との間で作用する磁気吸引力が解放される。
【００４０】
回動部材２２７は、所定の厚みを有する平板状の部材から構成される。この回動部材２２７は、その略中央部にフラッパ弁回動軸２２２の左側端部が連結されて固定される。即ち、回動部材２２７は、フラッパ弁回動軸２２２とともに回動する。
ここで、左壁部２１３ｃの前方側上部には図示しない挿通孔が形成され、この挿通孔にフラッパ弁回動軸２２２が回動可能に挿通されている。回動部材２２７には、この挿通されたフラッパ弁回動軸２２２の左側端部が連結される。
また、回動部材２２７の前方側の側面には、後述するワイヤ２２８が連結されている。
【００４１】
ワイヤ２２８は、後述する洗浄装置１２０の洗浄操作レバー１２５と、回動部材２２７とを連結する。ワイヤ２２８は、左壁部２１３ｃの上部外側に設けられたガイド部２１３ｇ，２１３ｈ等により案内される。
【００４２】
図１に戻って、排水管２３０は、後壁部２１３ｄの流出口部２１５に接続される。即ち、本実施形態の排水管２３０は、排水ソケット２１０の側壁部２１３に直接接続され、便器装置１の後方のトイレルームＲの壁ＷＡに向かって下方に傾斜して延びている。そして、排水管２３０は、壁ＷＡを抜けて壁内ＩＷを通る壁排水として、地下等に設けられた図示しない汲み取り式の便槽に接続された搬送管２５０に接続される。従って、本実施形態では、従来のように床下ＵＦに排水管２３０を収納する必要がない。
【００４３】
また、排水機構１１０は、排水管２３０と搬送管２５０とを連結する角度変換継手２４０をさらに備える。角度変換継手２４０は、排水管２３０の下流側に接続され、排水管２３０の延びる方向とは異なる方向に延びる搬送管２５０と排水管２３０とを連結する。
【００４４】
次に、洗浄装置１２０について説明する。
洗浄装置１２０は、洗浄タンク１２１と、洗浄水供給弁１２２と、洗浄水供給管１２３と、洗浄ワイヤ１２４と、洗浄操作レバー１２５と、を備える。
【００４５】
洗浄タンク１２１は、便器本体１０１の後方上面に設置される。洗浄タンク１２１は、便鉢１０２内を洗浄するとともに、用便後の汚物を排出するための洗浄水を貯留する。洗浄タンク１２１には、図示しない給水管が接続される。
【００４６】
洗浄水供給弁１２２は、洗浄タンク１２１内の下面に配置される。洗浄水供給弁１２２は、洗浄タンク１２１内の下面に形成された供給口を開閉する。
【００４７】
洗浄水供給管１２３は、洗浄水供給弁１２２により開閉される供給口と、便鉢１０２内のリム通水路１０２ｃを連通するように設けられる。洗浄水供給管１２３は、洗浄タンク１２１内の洗浄水を、リム通水路１０２ｃに向けて吐出する。
【００４８】
洗浄ワイヤ１２４は、洗浄水供給弁１２２と、後述する洗浄操作レバー１２５を連結する。これにより、洗浄水供給弁１２２は、洗浄操作レバー１２５の回動に連動して開閉する。
【００４９】
洗浄操作レバー１２５は、洗浄タンク１２１の側面に配置される。洗浄操作レバー１２５は、便器１００の前後方向に回動可能となっている。洗浄操作レバー１２５は、上述の通り洗浄ワイヤ１２４により洗浄水供給弁１２２と連結される。これにより、洗浄操作レバー１２５を一方に回動させると、洗浄ワイヤ１２４が上方に引っ張られて洗浄水供給弁１２２が開くことで、洗浄タンク１２１内の洗浄水が洗浄水供給管１２３を介して便鉢１０２内のリム通水路１０２ｃに供給される。本実施形態の洗浄装置１２０は、例えば、１回の洗浄におよそ５００ｃｃ以下（ＪＩＳによる）の極少量の洗浄水を供給する。
【００５０】
以上の構成を備える便器装置１は以下のように動作する。
先ず、用便終了後や便鉢１０２の洗浄時等において、使用者が洗浄操作レバー１２５を回動すると、それに連動して、ワイヤ２２８が洗浄装置１２０側に引っ張られる。すると、回動部材２２７及びフラッパ弁回動軸２２２がフラッパ弁２２１を開く方向にともに回動する。このとき、第１磁性部材２２５は上方に移動して延出部２１３ｆ上から離隔するため、第２磁性部材２２６との間に作用する磁気吸引力から解放される。便鉢１０２内の汚物や溜水Ｗの他、洗浄装置１２０から供給される洗浄水の重量によってフラッパ弁２２１が開方向に回動し、便鉢１０２内の汚物が排水口部１０２ｄから排出される。
【００５１】
またこのとき、第１リンク部材２２３が傾斜部２１６に当接することで、フラッパ弁２２１の開度が約４５°の範囲内に規制される。これにより、フラッパ弁２２１の受け部２２１ａによって汚水が排水管２３０側に効率良く誘導される。
排水管２３０に誘導された汚水は、下方に傾斜する排水管２３０内を流通し、搬送管２５０を介して便槽に導かれる。
【００５２】
次いで、使用者が洗浄操作レバー１２５を元の位置に戻すと、ワイヤ２２８が元の位置まで戻る。すると、回動部材２２７及びフラッパ弁回動軸２２２がフラッパ弁２２１を閉じる方向にともに回動する。このとき、第１磁性部材２２５は下方に移動して延出部２１３ｆ上に載置されるようになるため、第２磁性部材２２６との間に作用する磁気吸引力によって、フラッパ弁２２１は閉じる方向に付勢される。
【００５３】
以上の構成を備える本実施形態の便器装置１によれば、以下の効果が奏される。
（１）本実施形態では、便鉢１０２の排水口部１０２ｄに接続される流入口部２１４を排水ソケット２１０の上面部２１１に設けるとともに、排水管２３０に接続される流出口部２１５を排水ソケット２１０の側壁部２１３、具体的には後壁部２１３ｄに設けた。
これにより、排水ソケット２１０に対して、下流側に向かうに従い下方に傾斜する排水管２３０を直接接続できる。そのため、排水管２３０を床下ＵＦに収納することなく、トイレルームＲの壁ＷＡに向かって延ばすことができ、壁排水とすることができる。従って、本実施形態によれば、良好な排水性能を確保しつつ、床下ＵＦ高さを抑制できる。
【００５４】
（２）また本実施形態では、排水ソケット２１０の後壁部２１３ｄに設けた流出口部２１５に接続される排水管２３０を、便器装置１が設置されたトイレルームＲの壁ＷＡに向かって下方に傾斜して延びるように設けた。
これにより、排水管２３０を床下ＵＦに収納することなく、壁内ＩＷに排水管２３０を確実に通すことができるため、確実に上記効果が奏される。
【００５５】
（３）また本実施形態では、フラッパ弁回動軸２２２を、流出口部２１５が設けられた排水ソケット２１０の後壁部２１３ｄに対向する前壁部２１３ａ側に設けた。また、フラッパ弁回動軸２２２を、排水管２３０の延びる方向に対して略直交する方向に延びるように設けた。
例えば、フラッパ弁回動軸２２２を、流出口部２１５が設けられた排水ソケット２１０の後壁部２１３ｄ側に設けた場合には、フラッパ弁２２１自体が排水管２３０への汚水の流れを阻害するおそれがある。これに対して本実施形態によれば、フラッパ弁２２１が開いたときに、排水管２３０への汚水の流れが阻害されないため、汚水が排水管２３０まで移動する際のエネルギー損失を抑制できる。また、フラッパ弁２２１が汚水を排水管２３０側に向けて誘導するため、汚水を排水管２３０へより効率良く流すことができ、少ない排水量でより良好な排水性能を確保できる。
【００５６】
（４）また本実施形態では、フラッパ弁２２１の開度を所定範囲内に規制する規制部として、前壁部２１３ａ側から排水管２３０側に向かって下方に傾斜する傾斜部２１６を排水ソケット２１０の底面部２１２に設けた。
例えば、フラッパ弁２２１が９０°以上開いた場合には、汚水が鉛直下方に流れ落ち、場合によっては汚物が排水ソケット２１０の底面部２１２に付着する等して、良好な排水性能が得られないおそれがある。これに対して本実施形態によれば、フラッパ弁２２１の開度を例えば４５°以内に規制するため、排水性能をより向上できる。
【００５７】
（５）また本実施形態では、互いに延びる方向が異なる排水管２３０と搬送管２５０を連結する角度変換継手２４０を、排水管２３０の下流側に設けた。これにより、例えば従来の垂直排水管と傾斜排水管とを連結する角度変換継手をそのまま利用することで、排水管２３０と搬送管２５０を容易に連結でき、施工性が向上する。
【００５８】
なお、本発明は上記実施形態に限定されるものではなく、本発明の目的を達成できる範囲内での変形、改良等は本発明に含まれる。
上記実施形態では、規制部として底面部２１２の前方側に傾斜部２１６を設けたが、これに限定されない。例えば、底面部２１２とは別の部材からなる規制部を設けてもよく、底面部２１２や側壁部２１３に形成された突起からなる規制部を設けてもよい。
【００５９】
［第２実施形態］
図６は、本発明の第２実施形態に係る便器装置１Ａを模式的に示す部分断面側面図である。
本実施形態に係る便器装置１Ａは、フラッパ弁機構２２０Ａが強制排出式ではなく錘を利用したバランス式である点と、フラッパ弁回動軸２２２Ａが前壁部２１３Ａａ側ではなく後壁部２１３Ａｄ側に設けられている点と、排水ソケット２１０Ａの形状が若干異なる点が第１実施形態と相違する。
【００６０】
図６に示すように、フラッパ弁機構２２０Ａは、フラッパ弁２２１Ａと、フラッパ弁回動軸２２２Ａと、錘２２３Ａと、を備える。
フラッパ弁２２１Ａは、受け部２２１Ａａと、基端部２２１Ａｂと、を含んで構成される。
受け部２２１Ａａは、略矩形皿状に形成される。受け部２２１Ａａは、排水口部１０２ｄの開口縁に当接することで、排水口部１０２ｄを塞ぐ。基端部２２１Ａｂは、受け部２２１Ａａの後方側から延出して形成される。基端部２２１Ａｂには、後述するフラッパ弁回動軸２２２Ａが挿通されて固定される。
フラッパ弁回動軸２２２Ａは、排水ソケット２１０Ａの後壁部２１３Ａｄ側に設けられている。フラッパ弁回動軸２２２Ａは、排水管２３０の延びる方向に対して略直交し、かつ左右方向に略水平に延びて排水ソケット２１０Ａの左壁部及び右壁部に回動可能に固定されており、これによりフラッパ弁２２１Ａを略鉛直方向に回動させる。即ち、フラッパ弁２２１Ａが開いたときに、フラッパ弁２２１Ａの受け部２２１Ａａが流出口部２１５Ａ側に配置されるため、フラッパ弁２２１Ａが汚水の排水管２３０への流れを阻害しないように、フラッパ弁２２１Ａに対する流出口部２１５Ａの位置が、第１実施形態よりも下方に配置されている。
錘２２３Ａは、フラッパ弁回動軸２２２Ａよりも基端部２２１Ａｂ側に設けられる。
【００６１】
本実施形態のフラッパ弁機構２２０Ａは、便鉢１０２内の汚物や溜水Ｗの重みによって、フラッパ弁２２１Ａが開方向に回動する。これにより、便鉢１０２内の汚物や溜水Ｗ等が排水ソケット２１０Ａ及び排水管２３０を介して排出される。
また、本実施形態によれば、上述の（１）、（２）及び（５）の効果が奏される。
なお、図６では、洗浄装置の図示は省略しているが、本実施形態では第１実施形態の洗浄装置１２０を適用してもよく、洗浄タンクを有さないものとしてもよい（図７、８も同様）。
【００６２】
［第３実施形態］
図７は、本発明の第３実施形態に係る便器装置１Ｂを模式的に示す部分断面側面図である。
本実施形態に係る便器装置１Ｂは、便器１００Ａにおける便鉢１０２Ａの排水口部１０２Ａｄの形状が異なる点と、それに伴って排水ソケット２１０Ｂの形状が異なる点以外は、第２実施形態と同様である。
【００６３】
図７に示すように、便鉢１０２Ａの排水口部１０２Ａｄは、下方ではなく後方斜め下方に向かって開口して形成されている。具体的には、排水口部１０２Ａｄは、排水管２３０の延びる方向と略同一方向に延びている。これにより、排水口部１０２Ａｄから排出された汚水は、そのまま真っ直ぐに排水管２３０へと流れ込むため、排水性能がより向上している。
なお本実施形態においても、排水ソケット２１０Ｂの流入口部２１４Ｂは、排水ソケット２１０Ｂの上部を構成する上面部２１１Ｂに設けられており、一部は前壁部２１３Ｂａに及んでいる。
本実施形態によれば、第２実施形態と同様に動作し、同様の効果が奏される。
【００６４】
［第４実施形態］
図８は、本発明の第４実施形態に係る便器装置１Ｃを模式的に示す部分断面側面図である。
本実施形態に係る便器装置１Ｃは、フラッパ弁回動軸２２２Ａが後壁部２１３Ａｄ側ではなく前壁部２１３Ａａ側に設けられている点以外は、第２実施形態と同様である。
本実施形態によれば、上述の（１）、（２）、（３）及び（５）の効果が奏される。
【符号の説明】
【００６５】
１，１Ａ，１Ｂ，１Ｃ…便器装置
１００，１００Ａ…便器
１０２，１０２Ａ…便鉢
１０２ｄ，１０２Ａｄ…排水口部
２１０，２１０Ａ，２１０Ｂ…排水ソケット
２１１，２１１Ａ，２１１Ｂ…上面部（上部）
２１２，２１２Ａ，２１２Ｂ…底面部
２１３，２１３Ａ，２１３Ｂ…側壁部
２１３ａ，２１３Ａａ，２１３Ｂａ…前壁部（側壁部）
２１３ｄ，２１３Ａｄ，２１３Ｂｄ…後壁部（側壁部）
２１４，２１４Ａ，２１４Ｂ…流入口部
２１５，２１５Ａ，２１５Ｂ…流出口部
２１６…傾斜部（規制部）
２２１，２２１Ａ…フラッパ弁
２２２，２２２Ａ…フラッパ弁回動軸
２３０…排水管
２４０…角度変換継手
２５０…搬送管
Ｒ…トイレルーム
ＷＡ…壁
ＦＬ…床
【図１】
2016125251.tif 000003
【図２】
2016125251.tif 000004
【図３】
2016125251.tif 000005
【図４】
2016125251.tif 000006
【図５】
2016125251.tif 000007
【図６】
2016125251.tif 000008
【図７】
2016125251.tif 000009
【図８】
2016125251.tif 000010